(57)【要約】      （修正有）【課題】衣服カバーを提供する。【解決手段】少なくともスーツ上下が収納可能な大きさに縫製された袋体２と、袋体の少なくとも一端部に形成されたハンガーフック通し穴と、袋体の表布を長手方向に二分割して形成された衣類出し入れ口１２と、衣類出し入れ口の重なり合う両縁部１３に取り付けられたファスナーとを備えてなる衣服カバー１ａであって、ファスナーは、両縁部の一方に取着された幅５乃至７ｍｍの帯状面材からなりそして帯状面材はその基布面に数多くの係合フック９を植設してなる雄部材５と、両縁部の他方に雄部材の幅よりもより広い域にわたって部分取着された糸束１０からなりそして糸束はフックと係合可能な数多くのループ部位を有する雌部材６ａとからなる衣服カバー。【選択図】図１
2016209352.tif 000002
【特許請求の範囲】
【請求項１】
少なくともスーツ上下が収納可能な大きさに縫製された袋体と、該袋体の少なくとも一端部に形成されたハンガーフック通し穴と、該袋体の表布を長手方向に二分割して形成された衣類出し入れ口と、該衣類出し入れ口の重なり合う両縁部に取り付けられたファスナーとを備えてなる衣服カバーであって、
前記ファスナーは、前記両縁部の一方に取着された幅５乃至７ｍｍの帯状面材からなりそして該帯状面材はその基布面に数多くの係合フックを植設してなる雄部材と、前記両縁部の他方に該雄部材の幅よりもより広い域にわたって部分取着された糸束からなりそして該糸束は前記フックと係合可能な数多くのループ部位を有する雌部材とからなることを特徴とする、衣服カバー。
【請求項２】
前記ファスナーの雄部材は、基布面からの高さ１．３〜２．３ｍｍの係合フックが、１ｃｍ2当り４０〜５５個の割合で帯状面材上に配置されてなる請求項１記載の衣服カバー。
【請求項３】
前記ファスナーの雌部材は、総合繊度２００ないし６００ｄｔｘの撚り糸２ないし４本からなる糸束がジグザグ状又は波状に配置されるか或いは２束以上の前記糸束が平行に配置されてなる請求項１又は２記載の衣服カバー。
【請求項４】
前記ジグザグ状又は波状に配置される糸束は、波の大きさが４ないし８ｍｍであり、山と山の間隔が５ないし１２ｍｍである請求項３記載の衣服カバー。
【請求項５】
前記２束以上の糸束は、１ないし３ｍｍの間隔で平行配置される請求項３記載の衣服カバー。
【発明の詳細な説明】
【技術分野】
【０００１】
本発明は、衣服の出し入れが容易であり、製造コストが安く且つ物流コストを低減し得る衣服カバーに関するものである。
【背景技術】
【０００２】
衣服を購入すると、該衣服が収納されるスーツ袋等携帯用衣服カバーが付いてくるが、該衣服カバーは、通常、衣服を保管したり、冠婚葬祭や旅行の際に衣服を折り畳んで携帯するために使用されている。該衣服カバーは、衣服の出し入れを可能とするために、通常、該衣服カバーの一方の面に、長手方向に伸びる開閉可能な線ファスナーが設けられていた（例えば、特許文献１等参照。）。
【先行技術文献】
【特許文献】
【０００３】
【特許文献１】特開２００１−６３７８５号公報
【発明の概要】
【発明が解決しようとする課題】
【０００４】
携帯用衣服カバーにおいて、線ファスナーを開閉させて衣服を出し入れする回数は必ずしも多いものではなく、その開閉動作をなす頻度は一般に十数回程度であるといわれている。これに対して、線ファスナーは、通常、千回以上の開け閉めに耐えられる耐久性を有するものであるため、衣服カバーの開閉頻度を考えると必要以上に高い性能を有する部品が備えられているといえる。また、線ファスナーは、衣服カバーの製造コストの約１／４を占める程の高価なものであり、これを備えることは衣服カバーの製造コストをひき上げる要因となる。更に、線ファスナーは、厚肉で嵩高いスライダー部分を有するため、衣服カバーを梱包した際に嵩張り、結果として物流コストが高くなるという問題もあった。
【０００５】
従来の携帯用衣服カバーにおける問題、即ち、衣服の出し入れのために線ファスナーを用いることで、製造コストが高くなり且つ梱包の際に嵩張り、結果として物流コストが高くなるという問題を解決するために、本発明者は、衣服カバーにおける線ファスナーに代えて面ファスナーを用いることを考えた。
しかし、衣服出し入れ口の周縁に帯状の面ファスナーを長手方向に伸びて取着けた衣服カバーは、その帯状の面ファスナーを全開させるのに意外に大きな力が必要であり、また、面ファスナーは少しの接触で簡単に係合するため、例えば帯状の面ファスナーの上部を開け続いて下部を開けている最中に上部が接触して係合してしまって面ファスナーを全開させるのに手間取ってしまうといった問題等が生じ、結果として、衣服を出し入れする際の使い勝手が悪くなることが度々生じる。
従って、本発明は、上記の問題を解決し得る、即ち、衣服の出し入れが容易であり、製造コストが安く且つ物流コストを低減し得る衣服カバーの提供を課題とする。
【課題を解決するための手段】
【０００６】
本発明者は、上記課題を解決するために鋭意検討を行った結果、衣服カバーにおける線ファスナーに代えて、衣類出し入れ口の重なり合う両縁部に取り付けられたファスナーであって、両縁部の一方に取着された幅５乃至７ｍｍの帯状面材からなりそして該帯状面材はその基布面に数多くの係合フックを植設してなる雄部材と、両縁部の他方に該雄部材の幅よりもより広い域にわたって部分取着された糸束からなりそして該糸束は前記フックと係合可能な数多くのループ部位を有する雌部材とからなるところのファスナーを用いると、該雌部材と該雄部材との係合は少し接触したくらいでは係合しない程度の弱いものとな
るため、容易にファスナーを全開することができ、これにより、衣服の出し入れが容易となること、及び、一方で、該ファスナーは軽く押えるだけで容易に係合し、そして、該係合は、衣服カバーを折り畳んだり、持ち運んだりしたくらいでは容易に開かない程度の強度を有するものとなることを見出し、これにより、該衣服カバーは、衣服の出し入れが容易であり、製造コストが安く且つ物流コストを低減し得る衣服カバーとなり得ることが解り、本発明を完成させた。
【０００７】
即ち、本発明は、
［１］少なくともスーツ上下が収納可能な大きさに縫製された袋体と、該袋体の少なくとも一端部に形成されたハンガーフック通し穴と、該袋体の表布を長手方向に二分割して形成された衣類出し入れ口と、該衣類出し入れ口の重なり合う両縁部に取り付けられたファスナーとを備えてなる衣服カバーであって、
前記ファスナーは、前記両縁部の一方に取着された幅５乃至７ｍｍの帯状面材からなりそして該帯状面材はその基布面に数多くの係合フックを植設してなる雄部材と、前記両縁部の他方に該雄部材の幅よりもより広い域にわたって部分取着された糸束からなりそして該糸束は前記フックと係合可能な数多くのループ部位を有する雌部材とからなることを特徴とする、衣服カバー、
［２］前記ファスナーの雄部材は、基布面からの高さ１．３〜２．３ｍｍの係合フックが、１ｃｍ2当り４０〜５５個の割合で帯状面材上に配置されてなる前記［１］記載の衣服カバー、
［３］前記ファスナーの雌部材は、総合繊度２００ないし６００ｄｔｘの撚り糸２ないし４本からなる糸束がジグザグ状又は波状に配置されるか或いは２束以上の前記糸束が平行に配置されてなる前記［１］又は［２］記載の衣服カバー、
［４］前記ジグザグ状又は波状に配置される糸束は、波の大きさが４ないし８ｍｍであり、山と山の間隔が５ないし１２ｍｍである前記［３］記載の衣服カバー、
［５］前記２束以上の糸束は、１ないし３ｍｍの間隔で平行配置される前記［３］記載の衣服カバー、
に関するものである。
【発明の効果】
【０００８】
本発明により、衣服の出し入れが容易であり、製造コストが安く且つ物流コストを低減し得る衣服カバーが提供される。
本発明の衣服カバーにおけるファスナーは、線ファスナーに比して耐久性に劣るものではあるが、衣服カバーの開閉頻度などの使用状況に鑑みれば、十分な耐久性を有するものといえる。
また、本発明の衣服カバーのファスナーにおける雌部材は、実質的に、撚り糸２ないし４本からなる糸束であるため、係合フックに係合するループを意図的に形成させたものではないが、該糸束を構成する撚り糸が係合フックと係合可能な数多くのループ部位として機能するため、係合可能となる。
また、本発明の衣服カバーのファスナーにおける雌部材は、市販されている面ファスナーの雌部材よりも雄部材との係合力が弱くなるため、該雌部材は、雄部材と少し接触したくらいでは係合せず、そのため、容易にファスナーを全開することができ、一方で、該ファスナーは軽く押えれば容易に係合し、そして、該係合は、衣服カバーを折り畳んだり、持ち運んだりしたくらいでは容易に開かない程度の強度を有するものとなるという優れた性能を示す。
【図面の簡単な説明】
【０００９】
【図１】実施例１の衣服カバーの斜視図を示し、併せてＡ部分の拡大図並びにＡ部分中のＡ−ａ部分及びＡ−ｂ部分の拡大図を示す。
【図２】実施例２の衣服カバーの斜視図を示し、併せてＢ部分の拡大図並びにＢ部分中のＢ−ａ部分及びＢ−ｂ部分の拡大図を示す。
【発明を実施するための形態】
【００１０】
更に詳細に本発明を説明する。
本発明は、少なくともスーツ上下が収納可能な大きさに縫製された袋体と、該袋体の少なくとも一端部に形成されたハンガーフック通し穴と、該袋体の表布を長手方向に二分割して形成された衣類出し入れ口と、該衣類出し入れ口の重なり合う両縁部に取り付けられたファスナーとを備えてなる衣服カバーであって、
前記ファスナーは、前記両縁部の一方に取着された幅５乃至７ｍｍの帯状面材からなりそして該帯状面材はその基布面に数多くの係合フックを植設してなる雄部材と、前記両縁部の他方に該雄部材の幅よりもより広い域にわたって部分取着された糸束からなりそして該糸束は前記フックと係合可能な数多くのループ部位を有する雌部材とからなることを特徴とする、衣服カバーに関する。
【００１１】
本発明の衣服カバーは、ファスナー以外の構成は、既知の携帯用衣服カバーと同様の構成を採用することができる。
【００１２】
ファスナーの雄部材は、基布面に数多くの係合フックを植設してなる帯状面材であり、その素材としては、ナイロン、ポリエステル、ポリプロピレン等が挙げられる。
係合フックの基布面からの高さは、１．３〜２．３ｍｍの範囲が好ましく、１．５〜２．１ｍｍの範囲がより好ましい。
帯状面材上に配置される係合フックの割合は、１ｃｍ2当り４０〜５５個が好ましく、４５〜５０個がより好ましい。
雄部材は、縫付けにより衣服カバーへ固定することもできるが、ホットメルト接着剤等の接着剤を用いて衣服カバーへ固定することもできる。
【００１３】
ファスナーの雌部材は、総合繊度２００ないし６００ｄｔｘの撚り糸２ないし４本からなる糸束がジグザグ状又は波状に配置されるか或いは２束以上の前記糸束が平行に配置されてなるのが好ましい。
総合繊度２００ないし６００ｄｔｘの撚り糸としては、具体的には、例えば、ポリエチレン、ポリプロピレン等のポリオレフィン繊維、綿、ポリエステル、ナイロン等の撚り糸が挙げられる。
前記撚り糸２ないし４本からなる糸束は、撚らずに用いることもできるが、撚って用いることもできる。
糸束を撚って用いる際の撚り方は、Ｓ撚り又はＺ撚りの何れも採用することができるが、前記撚り糸の撚り方とは逆の撚り方としておくのが好ましい。
糸束を撚って用いる際の撚りは、３００Ｔ／ｍないし７００Ｔ／ｍの範囲が好ましく、４００Ｔ／ｍないし６００Ｔ／ｍの範囲がより好ましい。
糸束がジグザグ状又は波状に配置される場合の波の大きさは、４ないし８ｍｍの範囲が好ましく、山と山の間隔は、５ないし１２ｍｍの範囲が好ましい。
平行配置される２束以上の糸束は、好ましくは、１ないし３ｍｍの間隔で平行配置される。
上記の糸束は、縫付けにより衣服カバーへ固定することもできるが、ホットメルト接着剤等の接着剤を用いて衣服カバーへ固定することもできる。
【実施例】
【００１４】
以下に、図面を参照して本発明をより詳細に説明する。図１は本発明の実施例１の衣服カバー１ａを表す図であり、図２は本発明の実施例２の衣服カバー１ｂを表す図である。しかし、本発明の衣服カバーは以下に限定されるものではない。
【００１５】
実施例１
図１に本発明の実施例１の衣服カバー１ａの斜視図を示した。
この図に示すように実施例１の衣服カバー１ａは、少なくともスーツ上下が収納可能な大きさに縫製された袋体２と、該袋体２の上端部に形成されたハンガーフック通し穴３及び下端部に形成されたハンガーフック通し穴７と、該袋体の表布１４を長手方向に二分割して形成された衣類出し入れ口１２と、該衣類出し入れ口の重なり合う両縁部１３に取り付けられたファスナー４ａと衣服カバーの上部を挿入可能な袋部８が設けられている。
【００１６】
図１中の図Ａは、実施例１の衣服カバー１ａのファスナー４ａの中央部付近を拡大して示す図であり、図Ａ中の図Ａ−ａは、雄部材５の拡大図であり、図Ａ中の図Ａ−ｂは、雌部材６ａの拡大図である。
これらの図に示すように、実施例１の衣服カバー１ａにおいて、前記ファスナー４ａは、両縁部１３の一方に取着された幅５乃至７ｍｍの帯状面材からなり、その基布面に数多くの係合フック９を植設してなる雄部材５と、両縁部１３の他方に該雄部材５の幅よりもより広い域にわたって部分取着された糸束１０からなりそして該糸束１０はフック９と係合可能な数多くのループ部位を有する雌部材６ａとからなる。
ファスナー４ａの雄部材５は、基布面に数多くの係合フック９を植設してなる帯状面材であり、その素材は、ナイロン、ポリエステル、ポリプロピレン等であり、ファスナー４ａの雄部材５における係合フック９の基布面からの高さは、１．５〜２．１ｍｍの範囲であり、帯状面材上に配置される係合フック９の割合は、１ｃｍ2当り４５〜５０個である。
雄部材５は、縫付糸１１を用いた縫着により衣服カバー１ａの表布１４に固定されている。
ファスナーの雌部材６ａは、総合繊度２００ないし６００ｄｔｘの撚り糸２ないし４本からなる糸束１０がジグザグ状又は波状に配置されており、該撚り糸は、ポリエチレン、ポリプロピレン等のポリオレフィン繊維、綿、ポリエステル、ナイロン等の撚り糸であり、前記糸束は、４００Ｔ／ｍないし６００Ｔ／ｍの範囲に撚られており、その撚り方は、前記撚り糸の撚り方とは逆の撚り方となる。
糸束がジグザグ状又は波状に配置される場合の波の大きさｄは、４ないし８ｍｍの範囲であり、山と山の間隔ｃは、５ないし１２ｍｍの範囲である。
上記の糸束１０は、縫付糸１１を用いた縫着により衣服カバー１ａの表布１４に固定されている。
【００１７】
実施例１の衣服カバー１ａにおける雌部材６ａは、雄部材５と少し接触したくらいでは係合しないため、容易にファスナー４ａを全開することができ、これにより、衣服の出し入れが容易となる一方で、該ファスナー４ａは軽く押えれば容易に係合し、そして、該係合は、衣服カバー１ａを折り畳んだり、持ち運んだりしたくらいでは容易に開かない程度の強度を有していた。
【００１８】
実施例２
図２に本発明の実施例２の衣服カバー１ｂの斜視図を示した。
この図に示すように実施例２の衣服カバー１ｂは、少なくともスーツ上下が収納可能な大きさに縫製された袋体２と、該袋体２の上端部に形成されたハンガーフック通し穴３及び下端部に形成されたハンガーフック通し穴７と、該袋体の表布１４を長手方向に二分割して形成された衣類出し入れ口１２と、該衣類出し入れ口の重なり合う両縁部１３に取り付けられたファスナー４ｂと衣服カバーの上部を挿入可能な袋部８が設けられている。
【００１９】
図２中の図Ｂは、実施例２の衣服カバー１ｂのファスナー４ｂの中央部付近を拡大して示す図であり、図Ｂ中の図Ｂ−ａは、雄部材５の拡大図であり、図Ｂ中の図Ｂ−ｂは、雌部材６ｂの拡大図である。
これらの図に示すように、実施例２の衣服カバー１ｂにおいて、前記ファスナー４ｂは、両縁部１３の一方に取着された幅５乃至７ｍｍの帯状面材からなり、その基布面に数多くの係合フック９を植設してなる雄部材５と、両縁部１３の他方に該雄部材５の幅よりもより広い域にわたって部分取着された糸束１０からなりそして該糸束１０はフック９と係合可能な数多くのループ部位を有する雌部材６ｂとからなる。
ファスナー４ｂの雄部材５は、基布面に数多くの係合フック９を植設してなる帯状面材であり、その素材は、ナイロン、ポリエステル、ポリプロピレン等であり、ファスナー４ｂの雄部材５における係合フック９の基布面からの高さは、１．５〜２．１ｍｍの範囲であり、帯状面材上に配置される係合フック９の割合は、１ｃｍ2当り４５〜５０個である。
雄部材５は、縫付糸１１を用いた縫着により衣服カバー１ｂの表布１４に固定されている。
ファスナーの雌部材６ｂは、総合繊度２００ないし６００ｄｔｘの撚り糸２ないし４本からなる糸束１０の２束が等間隔で平行配置されており、該撚り糸は、ポリエチレン、ポリプロピレン等のポリオレフィン繊維、綿、ポリエステル、ナイロン等の撚り糸であり、前記糸束１０は、４００Ｔ／ｍないし６００Ｔ／ｍの範囲に撚られており、その撚り方は、前記撚り糸の撚り方とは逆の撚り方となる。
平行配置される上記２束の糸束１０の間隔ｅは、１ないし３ｍｍである。
上記の糸束１０は、縫付糸１１を用いた縫着により衣服カバー１ｂの表布１４に固定されている。
【００２０】
実施例２の衣服カバー１ｂにおける雌部材６ｂは、雄部材５と少し接触したくらいでは係合しないため、容易にファスナー４ｂを全開することができ、これにより、衣服の出し入れが容易となる一方で、該ファスナー４ｂは軽く押えれば容易に係合し、そして、該係合は、衣服カバー１ｂを折り畳んだり、持ち運んだりしたくらいでは容易に開かない程度の強度を有していた。
【符号の説明】
【００２１】
１ａ：実施例１の衣服カバー
１ｂ：実施例２の衣服カバー
２：袋体
３：上端部の開口部
４ａ、４ｂ：ファスナー
５：雄部材
６ａ、６ｂ：雌部材
７：下端部の開口部
８：袋部
９：係合フック
１０：糸束
１１：縫付糸
１２：衣類出し入れ口
１３：両縁部
１４：袋体の表布
【図１】
2016209352.tif 000003
【図２】
2016209352.tif 000004